(57)【要約】【課題】  簡易な構成且つ商品の陳列が容易である陳列棚装置を提供することである。【解決手段】  本発明の陳列棚装置１は、底パネル３と、蓋パネル８と、底パネル３の四周に設けた側壁パネル５、７と、隣り合う側壁パネルを互いに連結する連結部材１１と、底パネル３と各側壁パネル５、７とを夫々回動自在に連結するヒンジ９と、商品を陳列する陳列台１５とを備え、箱体内部には陳列台１５と共に商品を収納しており、商品の陳列時には載置台２１に箱体を載せて連結部材を外し且つ各側壁パネルを回動して側壁パネルの上部を下にし、隣り合う側壁パネルを連結部材で固定し陳列台に商品を陳列すると共に、側壁パネルで載置台を覆うようにした。【選択図】      図１
2006136346.tif 000002
【特許請求の範囲】
【請求項１】
底パネルと、蓋パネルと、底パネルの四周に設けた側壁パネルと、隣り合う側壁パネルを互いに連結する連結部材と、底パネルと各側壁パネルとを夫々回動自在に連結するヒンジと、商品を陳列する陳列台とを備え、箱体内部には陳列台と共に商品を収納しており、商品の陳列時には載置台に箱体を載せて連結部材を外し且つ各側壁パネルを回動して側壁パネルの上部を下にし、隣り合う側壁パネルを連結部材で固定し陳列台に商品を陳列すると共に、側壁パネルで載置台を覆うことを特徴とする陳列棚装置。
【請求項２】
底パネルと、蓋パネルと、底パネルの四周に設けた側壁パネルと、隣り合う側壁パネルを互いに連結する連結部材と、底パネルと各側壁パネルとを夫々回動自在に連結するヒンジと、商品を陳列する陳列台とを備え、蓋パネルの下面には折り畳み自在な脚が設けられており、箱体内部には陳列台と共に商品を収納しており、商品の陳列時には蓋パネルを箱体から取り外して脚を広げ、蓋パネルに箱体を載せて連結部材を外し且つ各側壁パネルを回動して側壁パネルの上部を下にし、隣り合う側壁パネルを連結部材で固定し陳列台に商品を陳列すると共に、側壁パネルで脚を覆うことを特徴とする陳列棚装置。
【請求項３】
底パネルにはフォークリフトの爪が係合する係合穴が設けられていることを特徴とする請求項１又は２に記載の陳列棚装置。
【請求項４】
少なくとも相対する側壁パネルは各々蓋パネルを嵌め込む嵌合溝を備えており、蓋パネルは嵌合溝に対してスライドにより嵌合することを特徴とする請求項１に記載の陳列棚装置。
【請求項５】
側壁パネルは隣り合う一方の側壁パネルと他方の側壁パネルとを備え、一方の側壁パネルの側端部には上下方向に渡って一方の嵌合溝が形成されており、他方の側壁パネルの側端部には上下方向に渡って他方の嵌合溝が形成されており、連結部材は一方の側壁パネルの嵌合溝に嵌合する一方の嵌合突部と、他方の側壁パネルの嵌合溝に嵌合する他方の嵌合突部とを備え、隣り合う側壁パネルのコーナ部分に連結部材を上下方向にスライドさせて側壁パネルの嵌合溝と連結部材の嵌合突部とを嵌合して隣り合う側壁パネルを固定していることを特徴とする請求項１又は２に記載の陳列棚装置。
【発明の詳細な説明】
【技術分野】
【０００１】
本発明は、陳列棚装置に関する。
【背景技術】
【０００２】
特許文献１に記載の従来技術では、陳列棚装置において、陳列台及び商品を収納した箱体に対して、陳列台が上下動自在に移動する技術が開示されている。
【０００３】
一方、特許文献２に記載の従来技術では、商品を収納した箱体と、箱体の上部に設けた陳列台とを備える技術が開示されている。
【０００４】
【特許文献１】特開平１１−１８７９５７号公報
【特許文献２】特開２０００−３１６６８６号公報
【発明の開示】
【発明が解決しようとする課題】
【０００５】
しかしながら、上述の特許文献１に記載の従来技術では、陳列台を箱体に対して上下動させるための駆動装置が別途に必要になるため、構成が複雑でコスト高になるという問題があった。
【０００６】
また、特許文献２に記載の従来技術では、商品を陳列台に陳列する場合には、箱体内から商品を取り出す必要があり、商品を陳列する手間がかかるという問題があった。
【０００７】
そこで本発明は、簡易な構成且つ商品の陳列が容易である陳列棚装置を提供することを目的とする。
【課題を解決するための手段】
【０００８】
前記課題を解決するために、請求項１に記載された発明は、底パネルと、蓋パネルと、底パネルの四周に設けた側壁パネルと、隣り合う側壁パネルを互いに連結する連結部材と、底パネルと各側壁パネルとを夫々回動自在に連結するヒンジと、商品を陳列する陳列台とを備え、箱体内部には陳列台と共に商品を収納しており、商品の陳列時には載置台に箱体を載せて連結部材を外し且つ各側壁パネルを回動して側壁パネルの上部を下にし、隣り合う側壁パネルを連結部材で固定し陳列台に商品を陳列すると共に、側壁パネルで載置台を覆うことを特徴とする。
【０００９】
請求項２に記載された発明は、請求項１に記載の発明において、底パネルと、蓋パネルと、底パネルの四周に設けた側壁パネルと、隣り合う側壁パネルを互いに連結する連結部材と、底パネルと各側壁パネルとを夫々回動自在に連結するヒンジと、商品を陳列する陳列台とを備え、蓋パネルの下面には折り畳み自在な脚が設けられており、箱体内部には陳列台と共に商品を収納しており、商品の陳列時には蓋パネルを箱体から取り外して脚を広げ、蓋パネルに箱体を載せて連結部材を外し且つ各側壁パネルを回動して側壁パネルの上部を下にし、隣り合う側壁パネルを連結部材で固定し陳列台に商品を陳列すると共に、側壁パネルで脚を覆うことを特徴とする。
【００１０】
請求項３に記載された発明は、請求項１又は２に記載の発明において、底パネルにはフォークリフトの爪が係合する係合穴が設けられていることを特徴とする。
【００１１】
請求項４に記載された発明は、請求項１に記載の発明において、少なくとも相対する側壁パネルは各々蓋パネルを嵌め込む嵌合溝を備えており、蓋パネルは嵌合溝に対してスライドにより嵌合することを特徴とする。
【００１２】
請求項５に記載された発明は、請求項１又は２に記載の発明において、側壁パネルは隣り合う一方の側壁パネルと他方の側壁パネルとを備え、一方の側壁パネルの側端部には上下方向に渡って一方の嵌合溝が形成されており、他方の側壁パネルの側端部には上下方向に渡って他方の嵌合溝が形成されており、連結部材は一方の側壁パネルの嵌合溝に嵌合する一方の嵌合突部と、他方の側壁パネルの嵌合溝に嵌合する他方の嵌合突部とを備え、隣り合う側壁パネルのコーナ部分に連結部材を上下方向にスライドさせて側壁パネルの嵌合溝と連結部材の嵌合突部とを嵌合して隣り合う側壁パネルを固定していることを特徴とする。
【発明の効果】
【００１３】
請求項１に記載の発明によれば、既存の載置台に箱体を載せた後、連結部材を取り外して側壁パネル同士の連結を外し、その後側壁パネルを回動して側壁パネルの上部を下にし、側壁パネルをふたたび連結部材で固定して商品の陳列が完了する。商品の陳列時には側壁パネルを開いて側壁パネルを連結部材で固定するだけなので、商品を箱体内部から外に出さずに陳列ができ、別途陳列棚に商品を並べ替える必要がなく、商品の陳列が容易で、構成も簡単である。
側壁パネルで載置台を覆うので、載置台が外から見え難く、外観が良い。
【００１４】
請求項２に記載された発明によれば、商品の陳列時には、蓋パネルを箱体から取外し、脚を広げて蓋パネルの上に箱体を載せる。そして、連結部材を取り外して側壁パネル同士の連結を外し、側壁パネルを回動して側壁パネルの上部を下にして側壁パネルを連結部材で固定する。側壁パネルを開くだけで、商品の陳列ができるので、商品を箱体内部から外に出さずに商品の陳列ができ、箱体から商品を取り出して別途陳列棚に商品を並べ替える必要がなく、商品の陳列が容易で、構成も簡単である。
収納時には蓋パネルの脚は箱体内に収納されているので、脚が箱体の外部に露出せず、コンパクトであると共に、搬送時にも脚が邪魔にならない。
蓋パネルを陳列棚の載置台としているので、別途に載置台を必要としない。
側壁パネルで脚を覆うので、脚が外から見え難く、外観が良い。
請求項３に記載された発明によれば、請求項１又は２に記載された発明と同様の効果が得られると共に、底パネルにはフォークリフトの爪を差し込む係合穴を設けたので、重量の重い陳列棚であっても、フォークリフトを利用して陳列棚の荷積みや荷卸しの作業が容易にできる。
【００１５】
請求項４に記載された発明によれば、請求項１に記載された発明と同様の効果が得られると共に、蓋パネルが側壁パネルの嵌合溝に対してスライド自在に嵌め込まれているので、蓋パネルと側壁パネルとを固定具で固定しなくとも、蓋パネルと側壁パネルとを強く固定でき、搬送時において蓋パネルが外れにくい。
【００１６】
請求項５に記載された発明によれば、請求項１又は２に記載された発明と同様の効果が得られると共に、隣り合う側壁パネル同士が連結部材によって嵌合固定されているので、隣り合う側壁パネル同士を強固に固定できる。
【発明を実施するための最良の形態】
【００１７】
以下、図面を参照しながら本発明の一実施形態について説明する。図１は本発明の第１実施の形態に係る陳列棚装置を概略的に示す図であり、蓋パネル及び側壁パネルを開いた状態を示す斜視図、図２は図１に示す陳列棚装置において商品を展示した状態を示す斜視図、図３は図１に示す陳列棚装置の側壁パネルを開く状態を示す断面図、図４は図１に示す陳列棚装置の平面図であり、図中一点鎖線で抜き出して示す図は隣り合う側壁パネルのコーナ部分を拡大して示す図であり、図５は商品が収納された状態の陳列棚装置を示す斜視図である。
【００１８】
図１に示すように本発明の第１実施の形態に係る陳列棚装置１は、底パネル３と、底パネル３の四周に設けた側壁パネル５、７と、蓋パネル８とを備え、底パネル３と側壁パネル５、７とはヒンジ９を介して回動自在に連結されている。また、隣り合う側壁パネル５、７は、そのコーナ部分で連結部材１１を介して連結されるようになっており、連結部材１１を外して側壁パネル５、７間の連結が外れるようになっている。
【００１９】
底パネル３にはフォークリフトの爪が係合する係合穴１３が設けられており、フォークリフトを使用して陳列棚装置１を容易に移動できるようになっている。また、底パネル３の上面側には段状の陳列台１５が設けてあり、陳列台１５には商品２が並べられている。
【００２０】
側壁パネル５、７は４枚のパネルからなり、底パネル３の前後の位置に取り付けられた一方の側壁パネル５と、底パネル３の左右の位置に取り付けられた他方の側壁パネル７とを備えている。一方の側壁パネル５の側端部には上下方向に渡って一方の嵌合溝１２ａが形成されており、他方の側壁パネル７の側端部には上下方向に渡って他方の嵌合溝１２ｂが形成されている。一方の側壁パネル５の内側にはラベル１６が付されており、一方の側壁パネル５を開いて商品２を陳列する際には、ラベル１６がパネルの表面に位置するようになっている。
【００２１】
側壁パネル５、７の上部には、左右方向に渡って嵌合溝１０が形成されており、商品２の収納時には蓋パネル８が嵌合溝１０に嵌め込まれている。また、他方の側壁パネル７には鍵１７が取り付けられており、鍵１７の開閉によって蓋パネル８のスライド移動の規制を行なっている。
【００２２】
連結部材１１は図４に拡大して示すように、嵌合突部１１ａ、１１ｂを備えており、一方の側壁パネル５の嵌合溝１２ａに嵌合する一方の嵌合突部１１ａと、他方の側壁パネル７の嵌合溝１２ｂに嵌合する他方の嵌合突起１１ｂとを備えている。隣り合う側壁パネル５、７のコーナ部分に連結部材１１を上下方向にスライドさせて側壁パネルの嵌合溝１２ａ、１２ｂと連結部材１１の嵌合突部１１ａ、１１ｂとを嵌合して隣り合う側壁パネルを固定している。
【００２３】
尚、本実施の形態では、陳列棚装置１を略直方体状の載置台２１の上に載せるようにしている。
【００２４】
次に上述の構成を基に本実施の形態にかかる陳列棚装置の作用及び効果について説明する。陳列棚装置１の搬送時には、各パネル同士（底パネル３、側壁パネル５、７、蓋パネル８）が互いに連結された箱体になっており、箱体内に陳列台１５と商品２が収納されている。商品２の陳列時には、載置台２１の上面に陳列棚装置１を載せ、側壁パネル５、７の四隅のコーナ部分に固定された連結部材１１を上方に引き抜き、隣り合う側壁パネル５、７間の連結を外す。次に、他方の側壁パネル７に設けられた鍵１７を開錠し、他方の側壁パネル７を外方に開く。そして、蓋パネル８を側壁パネル５、７の嵌合溝１０に沿ってスライド移動させて蓋パネル８を取り外す。また、残りの３方の側壁パネル５、７も外方に開く。
【００２５】
そして、側壁パネル５、７を外側に略１８０度開き、側壁パネル５、７は底パネル３のパネル面に対して垂直になるように立てる。続いて隣り合う側壁パネル５、７のコーナ部分に、上述した連結部材１１を上から下にスライドさせて側壁パネル５、７の嵌合溝１２ａ、１２ｂと連結部材１１の嵌合突部１１ａ、１１ｂとを嵌合して隣り合う側壁パネルを固定して、商品の陳列作業が終了する。
【００２６】
商品を収納する場合には、隣り合う側壁パネル５、７のコーナ部分の連結部材１１を下から上にスライドさせて、側壁パネル５、７の嵌合溝１２ａ、１２ｂと連結部材１１の嵌合突部１１ａ、１１ｂとの嵌合を外して側壁パネル５、７同士の連結を外す。そして、鍵１７の付いてある他方の側壁パネル７はそのままにして、それ以外の３つの側壁パネル５、７を回動させて、側壁パネル５、７の上部を上にし、連結部材１１で側壁パネル５、７同士を連結させる。蓋パネル８を嵌合溝１０に対して一方向からスライドにより挿入して、蓋パネル８と側壁パネル５、７とを連結する。次に鍵１７の付いてある他方の側壁パネル７を回動させて、鍵１７をすることで収納作業が終了する。
【００２７】
上述したように、本実施の形態では、既存の載置台２１に箱体を載せた後、連結部材１１を取り外して側壁パネル５、７同士の連結を外し、側壁パネル５、７を回動して側壁パネル５、７を連結部材１１で固定するだけで陳列棚の設置が完了するので、展示場に予めセットされた陳列棚に商品２を並べ替える必要がなく、設置時間の短縮を図ることができる。
【００２８】
商品の陳列時には、側壁パネル５、７で載置台２１を覆うので、載置台２１が外から見え難く、外観が良い。
【００２９】
底パネル３には、フォークリフトの爪が係合できる係合穴１３を設けているので、重量の重い陳列棚であっても、フォークリフトを利用して陳列棚の荷積みや荷卸しの作業が容易にできる。
【００３０】
次に、他の実施の形態を説明するが、その説明にあたり上述した部分と同一の作用効果を奏する部分には、同一の符号を付することにより、その部分の詳細な説明を省略し、以下の説明では、主に第１実施の形態と異なる点を説明する。図６は第２の実施形態の陳列棚装置１を示す断面図であり、図中一点鎖線で抜き出して示す図は蓋パネルと側壁パネルとの連結状態を示す断面図、図７は第３の実施形態に係る陳列棚装置を概略的に示す図であり、蓋パネル及び側壁パネルを開いた状態を示す斜視図、図８及び図９は第４の実施形態に係る陳列棚装置を概略的に示す図であり、図８は商品を展示した状態の陳列棚装置を示す斜視図、図９は商品を収納した状態の陳列棚装置を示す斜視図である。
【００３１】
第２の実施形態では、陳列棚装置１の保管時又は搬送時において、蓋パネル８と側壁パネル５、７とを係止ピン１９で留めている。図６中一点鎖線で抜き出して示すように、蓋パネル８の周囲に渡って係止部７ａを設け、係止ピン１９を係止部７ａに押し込むことで、蓋パネル８と側壁パネル５、７とを連結している。蓋パネル８を開ける場合には、係止ピン１９を引き抜くことで、蓋パネル８と側壁パネル５、７との連結を外している。
【００３２】
このように、係止ピン１９を引き抜くだけで、蓋パネル８と側壁パネル５、７との連結が外れるので、蓋パネル８を簡単に開けることができる。
【００３３】
次に第３の実施形態について説明する。第３の実施形態では、蓋パネル８の縁部に条状の係止部２３を設け、一方の側壁パネル５の上端部には長手方向にガイド溝２５を形成している。蓋パネル８を閉じる場合には、側壁パネル５、７を垂直に立てた位置で、係止部２３とガイド溝２５との位置を合わせ、蓋パネル８を上から押し込んで係止部２３をガイド溝２５に嵌め込み、蓋パネル８と側壁パネル５、７とを連結する。蓋パネル８を開ける場合には、蓋パネル８を上方に向けて引きぬくことにより、蓋パネル８の係止部２３がガイド溝２５から抜け出し、蓋パネル８と側壁パネル５、７との連結が外れる。
【００３４】
このように、蓋パネル８を上方から押し込むだけで、蓋パネル８と側壁パネル５、７とを連結することができると共に蓋パネル８を引きぬくだけで、蓋パネル８と側壁パネル５、７との連結が外れるので、蓋パネル８の開閉が簡単である。
【００３５】
次に第４の実施形態について説明する。第４の実施形態では、隣り合う側壁パネル５、７同士を連結する部材としてヒンジ２７を用いた。図９に示すように、陳列棚装置１の収納状態において、隣り合う側壁パネル５、７のコーナ部分にヒンジ２７を取り付けており、ねじで側壁パネル５、７に固定している。図８に示すように、商品２の陳列時には、ヒンジ２７を取り外し、側壁パネル５、７を回動して側壁パネル５、７の上部を下にしたときに、再びヒンジ２７を取り付けることで、隣り合う側壁パネル５、７を固定している。このように、ヒンジ２７を隣り合う側壁パネル５、７の連結に用いることで、側壁パネル５、７に溝を形成する等の加工を必要としない。
【００３６】
次に第５の実施形態について説明する。図１０及び図１１に示すように、第５の実施形態では、蓋パネル８に折り畳み自在な脚３１を設けており、商品２の陳列時には、蓋パネル８を載置台２１として用いるようにしている。すなわち、商品２の陳列時には、蓋パネル８を側壁パネル５、７から取り外し、折り畳んである蓋パネル８の両脚を広げる。そして、蓋パネル８の上に箱体を載せ、側壁パネル５、７の連結を外して回動させて側壁パネル５、７の上部を下にした後、再び側壁パネル５、７同士を連結する。
【００３７】
蓋パネル８が陳列棚の載置台を兼ねることができるので、別途に載置台２１を必要としない。また、収納時には蓋パネル８の脚３１は箱体内に収納されているので、脚３１が箱体の外部に露出せず、見栄えが良いと共に、搬送時に脚３１が邪魔にならない。
【００３８】
商品の陳列時には、側壁パネル５、７で脚３１を覆うので、脚３１が外から見え難く、外観が良い。
【００３９】
次に第６の実施形態について説明する。図１２に示すように、隣り合う側壁パネル５、７同士を連結する連結部材として、ベルト部材３３を用いている。ベルト部材３３は一方のパネルに固定された一方のベルト３３ａと他方のパネルに固定された他方のベルト３３ｂとを備え、それぞれのベルト３３ａ、３３ｂはピン３５ａ、３５ｂでパネルに固定されている。一方のベルト３３ａに備えたバックル３７に他方のベルト３３ｂを通し、さらに他方のベルト３３ｂを引張ることで、ベルト３３が締まり、パネル同士が連結するようになっている。また、ベルトを緩めて他方のベルト３３ｂをバックル３７から外すことでパネル同士の連結を外すようになっている。このように、パネル同士の連結にベルト部材３３を用いることで、パネル同士を連結したり外したりする作業が簡単である。
【００４０】
尚、本発明は上述した実施の形態に限定されず、その要旨を逸脱しない範囲で種々の変形が可能である。上述の実施の形態では、陳列棚装置１の商品２の収納時と商品２の陳列時のそれぞれにおいて、隣り合う側壁パネル５、７を同じ連結部材を用いて連結したが、商品２の収納時と商品２の陳列時において、異なる連結部材で隣り合う側壁パネル５、７を連結しても良い。
【００４１】
第１実施の形態において、側壁パネル５、７に蓋パネル８を嵌め込む嵌合溝１０を設けたが、蓋パネル８に嵌合溝を形成し、側壁パネル５、７に突起部を設けても良い。
【図面の簡単な説明】
【００４２】
【図１】本発明の第１実施の形態に係る陳列棚装置を概略的に示す図であり、蓋パネル及び側壁パネルを開いた状態を示す斜視図である。
【図２】商品を展示した状態の陳列棚装置を示す斜視図である。
【図３】図１に示す陳列棚装置の側壁パネルを開く状態を示す断面図である。
【図４】図４は図１に示す陳列棚装置の平面図であり、図中一点鎖線で抜き出して示す図は隣り合う側壁パネルのコーナ部分を拡大して示す図である。
【図５】図１に示す陳列棚装置を閉じた状態を示す斜視図である。
【図６】第２の実施形態の陳列棚装置を示す断面図であり、図中一点鎖線で抜き出して示す図は蓋パネルと側壁パネルとの連結状態を示す断面図である。
【図７】第３の実施形態に係る陳列棚装置を示す図であり、蓋パネル及び側壁パネルを開いた状態を示す斜視図である。
【図８】第４の実施形態に係る陳列棚装置を示す図であり、商品を展示した状態の陳列棚装置を示す斜視図である。
【図９】第４の実施形態に係る陳列棚装置を示す図であり、商品を収納した状態の陳列棚装置を示す斜視図である。
【図１０】第５の実施形態に係る陳列棚装置を示す図であり、蓋パネル及び側壁パネルを開いた状態を示す斜視図である。
【図１１】第５の実施形態に係る陳列棚装置を示す図であり、商品を展示した状態の陳列棚装置を示す斜視図である。
【図１２】第６の実施形態に係る陳列棚装置を示す図であり、図中一点鎖線で抜き出して示す図は蓋パネルと側壁パネルとを連結する連結部材を拡大して示す平面図である。
【符号の説明】
【００４３】
１        陳列棚装置
３        底パネル
５、７    側壁パネル
８        蓋パネル
９        ヒンジ
１０      嵌合溝
１１      連結部材
１３      係合穴
【図１】
2006136346.tif 000003
【図２】
2006136346.tif 000004
【図３】
2006136346.tif 000005
【図４】
2006136346.tif 000006
【図５】
2006136346.tif 000007
【図６】
2006136346.tif 000008
【図７】
2006136346.tif 000009
【図８】
2006136346.tif 000010
【図９】
2006136346.tif 000011
【図１０】
2006136346.tif 000012
【図１１】
2006136346.tif 000013
【図１２】
2006136346.tif 000014